(57)【要約】  ブレーキパッドの強度を低下させることなく、ブレーキパッドの中心部近傍から発生するガスや磨耗粉を速やかに除去して安定した摩擦特性を発揮できるようにしたディスクブレーキ装置を備えたエレベータ装置を提供する。  本発明のエレベータ装置は、ディスクブレーキ装置のブレーキパッド(21)に、ブレーキパッドのほぼ中心を通る一本の直線状溝(33C)と、一本の直線状溝に直交して形成され、かつ、中心から離れた位置に該中心を挟んで対向配置した二本の他の直線状溝(33A,33B)を形成し、前記一本の直線状溝と前記二本の直線状溝のいずれか一方が、前記ブレーキパッドとブレーキディスクとの摺接方向(12)に形成されていることを特徴とする。
2017072824.tif 000002
【特許請求の範囲】
【請求項１】
主索が巻回され、駆動モータと回転軸を介して連結されている巻上機と、該巻上機に巻回されている前記主索の一方の端部に接続されている乗りかご及び前記主索の他方の端部に接続されている釣合おもりと、前記巻上機の回転軸に連結されているブレーキディスク及び該ブレーキディスクに押圧されて制動力を与え、前記巻上機を停止させて前記乗りかご及び釣合おもりを停止状態にするブレーキパッドを有したディスクブレーキ装置とを備えたエレベータ装置において、  前記ディスクブレーキ装置の前記ブレーキパッドに、該ブレーキパッドの中心を通る一本の直線状溝と、前記一本の直線状溝に直交し、かつ、前記ブレーキパッドの中心から離れた位置に該中心を挟んで対向配置された二本の直線状溝とが形成されていると共に、前記一本の直線状溝と前記二本の直線状溝のいずれか一方が、前記ブレーキパッドとブレーキディスクとの摺接方向に形成されていることを特徴とするエレベータ装置。
【請求項２】
前記ディスクブレーキ装置は、前記ブレーキディスクの中心を通る水平線上に配置され、かつ、前記ディスクブレーキ装置の前記ブレーキパッドは、前記ブレーキパッドとブレーキディスクとの摺接方向に延びて形成された二本の第一直線状溝及び第二直線状溝と、該第一直線状溝及び第二直線状溝に連通するよう交差すると共に、前記摺接方向に直交する方向に延びて形成され、前記ブレーキパッドの中心を通る一本の第三直線状溝とを有し、前記第一直線状溝及び第二直線状溝と前記第三直線状溝との交差部は、前記ブレーキパッドの中心を避けて位置していることを特徴とする請求項１に記載のエレベータ装置。
【請求項３】
前記第一直線状溝及び第二直線状溝は、鉛直方向に延びて形成されていることを特徴とする請求項２に記載のエレベータ装置。
【請求項４】
前記ブレーキパッドは、四角形に形成されていることを特徴とする請求項２又は３に記載のエレベータ装置。
【請求項５】
前記ディスクブレーキ装置は、前記ブレーキディスクの中心を通る水平線上に配置され、かつ、前記ディスクブレーキ装置の前記ブレーキパッドは、前記ブレーキパッドとブレーキディスクとの摺接方向に延びて形成され、前記ブレーキパッドの中心を通る一本の第一直線状溝と、該第一直線状溝に連通するよう交差すると共に、前記摺接方向に直交する方向に延びて形成された第二直線状溝及び第三直線状溝とを有し、前記第一直線状溝と前記第二直線状溝及び前記第三直線状溝との交差部は、前記ブレーキパッドの中心を避けて位置していることを特徴とする請求項１に記載のエレベータ装置。
【請求項６】
前記第一直線状溝は、鉛直方向に延びて形成されていることを特徴とする請求項５に記載のエレベータ装置。
【請求項７】
前記ブレーキパッドは、前記摺接方向に縦長となる長方形に形成されていることを特徴とする請求項５又は６に記載のエレベータ装置。
【請求項８】
主索が巻回され、駆動モータと回転軸を介して連結されている巻上機と、該巻上機に巻回されている前記主索の一方の端部に接続されている乗りかご及び前記主索の他方の端部に接続されている釣合おもりと、前記巻上機の回転軸に連結されているブレーキディスク及び該ブレーキディスクに押圧されて制動力を与え、前記巻上機を停止させて前記乗りかご及び釣合おもりを停止状態にするブレーキパッドを有したディスクブレーキ装置とを備え、  前記ディスクブレーキ装置は、少なくとも前記ブレーキディスクの中心を通る水平線上に配置されるディスクブレーキ装置Ａ及び該ディスクブレーキ装置Ａの上方に設置されたディスクブレーキ装置Ｂから成るエレベータ装置において、  前記ディスクブレーキ装置Ａ及びディスクブレーキ装置Ｂの前記ブレーキパッドの全てが、請求項２又は請求項５に記載の前記ブレーキパッドの構成であるか、  或いは前記ディスクブレーキ装置Ａ及びディスクブレーキ装置Ｂの前記ブレーキパッドが、請求項２と請求項５に記載の前記ブレーキパッドを組み合わせた構成であることを特徴とするエレベータ装置。
【請求項９】
前記ディスクブレーキ装置Ａは、請求項２又は請求項５に記載の前記ブレーキパッドの構成であり、前記ディスクブレーキ装置Ｂは、請求項５又は請求項２に記載の前記ブレーキパッドの構成であることを特徴とする請求項８に記載のエレベータ装置。
【請求項１０】
前記ディスクブレーキ装置Ａは、前記請求項２に記載の前記ブレーキパッドの第一直線状溝及び第二直線状溝が鉛直方向に延びて形成されているか或いは前記請求項５に記載の前記ブレーキパッドの第一直線状溝が鉛直方向に延びて形成され、かつ、前記ディスクブレーキ装置Ｂは、前記請求項２に記載の前記ブレーキパッドの第一直線状溝及び第二直線状溝或いは請求項５に記載の前記ブレーキパッドの前記第一直線状溝が、前記鉛直方向に対して傾斜して形成されていることを特徴とする請求項９に記載のエレベータ装置。
【発明の詳細な説明】
【技術分野】
【０００１】  本発明はエレベータ装置に係り、特に、ディスクブレーキ装置を備えたものに好適なエレベータ装置に関する。
【背景技術】
【０００２】  ディスクブレーキ装置を備えたエレベータ装置として、特許文献１に記載されたものがある。この特許文献１には、機器の回転体に連動して回転するディスクと、それぞれディスクに対向配置された複数のパッドと、各パッドをディスクの表面に押し付ける抑圧機構とを備えたエレベータ装置用ブレーキ装置が記載されている。【０００３】  また、自動車用ディスクブレーキ装置として、特許文献２、特許文献３及び特許文献４に記載されたものがある。これらの各特許文献には、ブレーキパッドに複数の溝が形成されている。
【先行技術文献】
【特許文献】
【０００４】
【特許文献１】特開２０１２−２２５５１３号公報
【特許文献２】特開２００７−２４２８６号公報
【特許文献３】特開２０１４−７０６５１号公報
【特許文献４】特開２０１５−１０６３５号公報
【発明の概要】
【発明が解決しようとする課題】
【０００５】  しかしながら、特許文献１には、上述した構成のエレベータ装置用ブレーキ装置が記載されているだけであり、一方、特許文献２〜４に記載されたものは、自動車用ディスクブレーキ装置である。【０００６】  一般に、エレベータ装置では、ディスクブレーキ装置が停止させる対象となる乗りかご、釣合おもり及びロープといった質量の総計が自動車に比べて大きくなり、特に、高速エレベータでは速度も速いことから、制動エネルギーが非常に大きくなるため、制動中に発生する摩擦熱によりディスクとブレーキパッドの摩擦面が非常に高温となり、また、制動停止までの時間は数秒〜数十秒となる。【０００７】  しかも、エレベータ装置用ディスクブレーキ装置では、高温によりブレーキパッドの材質の一部に用いられている樹脂からガスが発生したり、摩耗が発生したりしやすくなるため、多くの摩耗粉が発生するなどの現象があり、これらが摩擦面に介在すると摩擦特性が安定しにくくなることから、摩擦特性を安定化させるためには、制動中に発生するガスや摩耗粉を摩擦面になるべく介在させないで除去する必要がある。【０００８】  本発明は上述の点に鑑みなされたもので、その目的とするところは、ブレーキパッドの強度を低下させることなく、ブレーキパッドの中心部近傍から発生するガスや摩耗粉を速やかに除去して安定した摩擦特性を発揮できるディスクブレーキ装置を備えたエレベータ装置を提供することにある。
【課題を解決するための手段】
【０００９】  本発明のエレベータ装置は、上記目的を達成するために、主索が巻回され、駆動モータと回転軸を介して連結されている巻上機と、該巻上機に巻回されている前記主索の一方の端部に接続されている乗りかご及び前記主索の他方の端部に接続されている釣合おもりと、前記巻上機の回転軸に連結されているブレーキディスク及び該ブレーキディスクに押圧されて制動力を与え、前記巻上機を停止させて前記乗りかご及び釣合おもりを停止状態にするブレーキパッドを有したディスクブレーキ装置とを備えたエレベータ装置において、前記ディスクブレーキ装置の前記ブレーキパッドに、該ブレーキパッドの中心を通る一本の直線状溝と、前記一本の直線状溝に直交し、かつ、前記ブレーキパッドの中心から離れた位置に該中心を挟んで対向配置された二本の直線状溝とが形成されていると共に、前記一本の直線状溝と前記二本の直線状溝のいずれか一方が、前記ブレーキパッドとブレーキディスクとの摺接方向に形成されていることを特徴とする。
【発明の効果】
【００１０】  本発明によれば、ブレーキパッドの強度を低下させることなく、ブレーキパッドの中心部近傍から発生するガスや摩耗粉を速やかに除去して安定した摩擦特性を発揮できるようにしたディスクブレーキ装置を備えたエレベータ装置を得ることができる。
【図面の簡単な説明】
【００１１】
【図１】本発明のエレベータ装置の実施例１を示す概略構成図である。
【図２】本発明のエレベータ装置の実施例１を構成する巻上機の拡大図である。
【図３】図２に示した巻上機の側面図である。
【図４】図３に示した巻上機を構成するディスクブレーキ装置の拡大平面図である。
【図５】図４に示したディスクブレーキ装置の要部拡大図である。
【図６】図４に示したディスクブレーキ装置のブレーキパッドを拡大して示す正面図である。
【図７】図６に示したブレーキパッド側面図である。
【図８】本発明のエレベータ装置の実施例２として、ブレーキパッドの他の例を拡大して示す正面図である。
【図９】本発明のエレベータ装置の実施例３を構成する巻上機の拡大図である。
【発明を実施するための形態】
【００１２】  以下、図示した実施例に基づいて本発明のエレベータ装置を説明する。なお、各図において同一構成部品には同符号を使用する。
【実施例１】
【００１３】  図１に、本発明のエレベータ装置の実施例１の全体構成を示す。【００１４】  該図に示す如く、昇降路１の上部に形成された機械室２には、巻上機３が設置され、巻上機３のシーブに主索（ロープ）４が巻回されている。主索４の一方の端部には乗りかご５が連結され、主索４の他方の端部には釣合おもり６が連結されている。【００１５】  図２及び図３に、上述した巻上機３の詳細構成を示す。【００１６】  該図に示す如く、巻上機３は機械室２の床部に固定した固定ベース７上に設置されており、固定ベース７には駆動モータ８及び軸受け台９、１０がそれぞれ固定されている。軸受け台９、１０は、駆動モータ８の駆動力を巻上機３に伝達する回転軸１１を回転可能に支持している。巻上機３を駆動する回転軸１１には、シーブ１３と、このシーブ１３より径の大きなブレーキディスク１４が同軸で固定されている。【００１７】  また、軸受け台１０には、真横で支持腕部１９の二箇所にディスクブレーキ装置１５、１６が取り付けられている。このディスクブレーキ装置１５、１６は、ブレーキディスク１４の中心を通る水平線上に設置されている。【００１８】  上述したディスクブレーキ装置１５、１６は、同一構成であり、図示しない電磁コイルとばねとを含むアクチュエータを有している。また、ディスクブレーキ装置１５、１６は、駆動モータ８への通電を断った後、非励磁状態とし、ばねの弾性力によりキャリパと称されるブレーキシュー１７及び１８をブレーキディスク１４の両面に押し付けて、ブレーキディスク１４に対する制動力を発生するように構成されている。【００１９】  図４及び図５に、上述したディスクブレーキ装置１６の詳細構成を示す。【００２０】  上述した固定ベース７に固定した軸受け台１０の支持腕部１９には、複数本のボルト２０などによってディスクブレーキ装置１６が取り付けられている。このディスクブレーキ装置１６の外形は円柱状にされているが、ブレーキシュー１７及び１８は、後述するように矩形状にされている。【００２１】  ブレーキシュー１７及び１８は、ブレーキディスク１４との両側の制動接触面に対向して配置されたブレーキパッド２１をそれぞれ有している。ブレーキシュー１８は、制動時の作動距離を調整するストローク調整ボルト２３の締め付けによって、ブレーキ本体２２に固定されている。これに対して、ブレーキシュー１７は、図示しない電磁コイルとばねとを含むアクチュエータ２４によって、ブレーキディスク１４と接触する制動方向（図４の横方向）に移動可能に構成されている。【００２２】  ブレーキシュー１７及び１８の構造はほぼ同様であるから、ここでは、アクチュエータ２４の駆動ロッド２５に取り付けられたブレーキシュー１７について説明する。【００２３】  図５に示すように、アクチュエータ２４の駆動ロッド２５の先端部は、ブレーキシュー１７の係合部（凹状になっている）２６に回動自在に接合されている。駆動ロッド２５の先端部の外周部には、取付用ばね部材２７が取り付けられており、この取付用ばね部材２７は、その先端の屈曲部がブレーキシュー１７に取り付けられたピン２８と係合されている。ブレーキシュー１７の側面には、ピン２８と係合する切欠２９を有するプ��ート３０が配置され、このプレート３０は、止めねじ３１によりブレーキシュー１７に固定されている。ピン２８には抜け止め用の割ピン３２が挿入されて、ブレーキシュー１７と取付用ばね部材２７及びプレート３０が結合された状態を保持している。こうしてブレーキシュー１７側は、駆動ロッド２５の先端部に回動可能（搖動自在）に保持されている。【００２４】  図４に示したストローク調整ボルト２３の先端に取り付けられたブレーキシュー１８の取り付け構造も、ブレーキシュー１７側とほぼ同様である。【００２５】  制動時は、図４に示したアクチュエータ２４に内蔵された図示しないばねにより、ブレーキシュー１７が駆動ロッド２５を介してブレーキディスク１４側に押圧される。この結果、ブレーキディスク１４の両面側に設けられた一対のブレーキシュー１７及び１８は、それぞれのブレーキパッド２１をブレーキディスク１４に押圧して制動力を与え、図１に示した巻上機３を停止させ、乗りかご５及び釣合おもり６を停止状態にする。【００２６】  図６及び図７に、ブレーキシュー１７のブレーキパッド２１を拡大して示す。【００２７】  ブレーキシュー１７及びブレーキシュー１８は同一構成であるから、ここではブレーキシュー１７側のブレーキパッド２１を代表して説明する。同図は、ブレーキパッド２１におけるブレーキディスク１４との摺接面を示しており、矢印１２は、ブレーキパッド２１とブレーキディスク１４との摺接方向（円周の接線方向）を示している。【００２８】  図６に示す如く、ブレーキパッド２１は四角形をしており、このブレーキパッド２１は、ブレーキディスク１４とのほぼ摺接方向（本実施例では、鉛直方向（重力方向））に沿って形成した第一直線状溝３３Ａ及び第二直線状溝３３Ｂと、摺接方向１２に対してほぼ直交する方向に形成した第三直線状溝３３Ｃとを有している。【００２９】  そして、本実施例では、ブレーキパッド２１の中心を３５とするとき、第一直線状溝３３Ａ及び第二直線状溝３３Ｂは、ブレーキパッド２１の中心３５を避け、ブレーキパッド２１の中心３５の両側に詳細を後述する距離を隔ててほぼ平行に形成され、一方、第三直線状溝３３Ｃは、ブレーキパッド２１のほぼ中心３５を通る位置に形成されている。【００３０】  これらの各直線状溝３３Ａ、３３Ｂ、３３Ｃは、ブレーキパッド２１の中心３５を外して交差しており、この交差部で溝部が連通されている。言い換えると、ブレーキパッド２１の中心３５で、各直線状溝３３Ａ、３３Ｂ、３３Ｃを交差させる溝構造を避けている。【００３１】  ブレーキパッド２１の幅寸法をＬとし、ブレーキパッド２１の中心３５から第一直線状溝３３Ａ及び第二直線状溝３３Ｂまでの距離をＬ１とすると、０．１Ｌ≦Ｌ１≦０．２５Ｌの条件を満たして第一直線状溝３３Ａ及び第二直線状溝３３Ｂを形成している。【００３２】  上述した如く、エレベータ装置では、ディスクブレーキ装置１５、１６で停止させることになる乗りかご５、釣合おもり６及び主索４の総質量が相当大きく、特に、高速エレベータ装置では速度も速いことから、制動エネルギーが非常に大きくなる。そのため、制動中に発生する摩擦熱によりブレーキディスク１４とブレーキパッド２１の摺接面は非��に高温となる。また、制動停止までの時間は数秒〜数十秒となり、温度上昇によりブレーキパッド２１の材質の一部に用いられている樹脂からガスが発生し、また、摩耗粉が発生する。特に、四角形のブレーキパッド２１では、ブレーキパッド２１の中心３５の近傍が最も強く押圧されるため、ブレーキパッド２１の中心３５の近傍でガスが発生し、また、摩耗粉が発生する。【００３３】  しかし、本実施例では、第三直線状溝３３Ｃが、ほぼブレーキパッド２１の中心３５を通るように形成されているため、特に、ブレーキパッド２１の中心３５の近傍から発生したガスを速やかに排出することができる。また、ブレーキディスク１４とブレーキパッド２１の摺接方向１２に直交する方向であるため、第三直線状溝３３Ｃによって発生しやすい摩耗粉については、第一直線状溝３３Ａ及び第二直線状溝３３Ｂから速やかに排出される。つまり、図２に示したように、ブレーキディスク１４の中心を通る水平線上にディスクブレーキ装置１５、１６を配置した方式では、第一直線状溝３３Ａ及び第二直線状溝３３Ｂの形成方向が鉛直方向、つまり重力方向となるため、摩耗粉が第一直線状溝３３Ａ及び第二直線状溝３３Ｂを通して下方に速やかに排出され除去される。【００３４】  しかも、第一直線状溝３３Ａ及び第二直線状溝３３Ｂは、ブレーキパッド２１の中心３５を避けて形成され、かつ、ブレーキパッド２１のほぼ中心３５を通る第三直線状溝３３Ｃと連通されているため、最も強く押圧されるブレーキパッド２１の中心３５の近傍におけるブレーキパッド２１の強度を低下させることなく、上述したように、特に、ブレーキパッド２１の中心３５近傍から発生する摩耗粉を除去することができる。特に、二本の第一直線状溝３３Ａ及び第二直線状溝３３Ｂの間にブレーキパッド２１の中心３５が位置するようにすると、ブレーキパッド２１は、ブレーキパッド２１の中心３５近傍に広い接触面を形成できるので強度を高めることができ、しかも、ブレーキパッド２１のほぼ中心３５を通る第三直線状溝３３Ｃによって、ブレーキパッド２１の中心３５近傍の広い接触面からの発生ガスを速やかに排出することができる。【００３５】  このような本実施例の構成とすることにより、ブレーキパッド２１の中心３５近傍の接触面からの発生ガスの排出と共に、強度を保ちながら摩耗粉を除去できるので、従来のように摩耗粉が溜まりやすい構成に比べて、ブレーキパッド２１の中心３５付近によるブレーキディスク１４への摩擦特性を安定させて、安定した制動特性を有するディスクブレーキ装置１５、１６を備えたエレベータ装置を得ることができる。
【実施例２】
【００３６】  図８に、本発明のエレベータ装置の実施例２として、ブレーキシュー１７のブレーキパッド２１の他の例を拡大して示す。【００３７】  該図に示す如く、本実施例のブレーキパッド２１は、矢印で示した摺接方向１２に長い長方形をしており、このブレーキパッド２１は、ブレーキパッド２１のほぼ中心３５を通り、かつ、ブレーキディスク１４とのほぼ摺接方向１２に沿って形成された一本の第一直線状溝３４Ａと、摺接方向１２に対してほぼ直交する方向には、ブレーキパッド２１の中心３５を避けて、ブレーキパッド２１の中心３５を挟んだ位置に形成された二本の第二直線状溝３４Ｂ及び第三直線状溝３４Ｃとを有している。これらの各直線状溝３４Ａ、３４Ｂ、３４Ｃは、ブレーキパッド２１の中心３５を避けた交差部で溝部が連通している。【００３８】  ブレーキパッド２１の高さ寸法をＨとし、ブレーキパッド２１の中心３５から第二直線状溝３４Ｂ及び第三直線状溝３４Ｃまでの距離をＨ１とすると、０．１Ｈ≦Ｈ１≦０．２５Ｈの条件を満たして第二直線状溝３４Ｂ及び第三直線状溝３４Ｃを形成している。【００３９】  このような本実施例でも、ブレーキパッド２１の中心３５で、第一直線状溝３４Ａと第二直線状溝３４Ｂ及び第三直線状溝３４Ｃとを交差させるのを避けて、かつ、第一直線状溝３４Ａは、ブレーキパッド２１のほぼ中心３５を通るように形成されているため、特に、ブレーキパッド２１の中心３５の近傍から発生したガスを速やかに排出することができる。また、ブレーキディスク１４とブレーキパッド２１の摺接面に直交する第二直線状溝３４Ｂ及び第三直線状溝３４Ｃによって発生する磨耗粉については、第一直線状溝３４Ａを通して速やかに排出される。つまり、図２に示したように、ブレーキディスク１４の中心を通る水平線上にディスクブレーキ装置１５、１６を配置した方式では、第一直線状溝３４Ａの形成方向が鉛直方向、つまり重力方向となるため、摩耗粉は第一直線状溝３４Ａを通して落下して速やかに除去される。【００４０】  しかも、第一直線状溝３４Ａは一本であり、第二直線状溝３４Ｂ及び第三直線状溝３４Ｃは、ブレーキパッド２１の中心３５を避けて形成されているため、最も強く押圧されるブレーキパッド２１の中心３５の近傍におけるブレーキパッド２１の強度を低下させることなく、上述したように、特に、ブレーキパッド２１の中心３５近傍から発生する摩耗粉を重力方向に落下させて除去することができる。二本の第二直線状溝３４Ｂ及び第三直線状溝３４Ｃの間に、ブレーキパッド２１の中心３５が位置するように二本の第二直線状溝３４Ｂ及び第三直線状溝３４Ｃを形成すると、ブレーキパッド２１は中心３５近傍に広い接触面を形成できるので強度を高めることができ、しかも、ブレーキパッド２１のほぼ中心３５を通る第一直線状溝３４Ａによって、ブレーキパッド２１の中心３５近傍の広い接触面から発生したガスを速やかに排出することができる。【００４１】  本実施例によっても、発生ガスの排出と共に、強度を保ちながら摩耗粉を除去できるので、従来のように摩耗粉が溜まりやすい構成に比べて、ブレーキパッド２１の中心３５付近によるブレーキディスク１４への摩擦特性を安定させて、安定した制動特性を有するディスクブレーキ装置１５、１６を備えたエレベータ装置を得ることができる。
【実施例３】
【００４２】  図９に、本発明のエレベータ装置の実施例３を構成する巻上機を拡大して示す。【００４３】  該図に示す本実施例では、ディスクブレーキ装置が、ブレーキディスク１４の中心を通る水平線上に配置されるディスクブレーキ装置１５及び１６と、このディスクブレーキ装置１５及び１６の上方に設置されているディスクブレーキ装置３６及び３７とから成り、これら全てのディスクブレーキ装置１５、１６、３６及び３７のブレーキパッド２１が、上述した図６に示す実施例１の構成、即ち、ブレーキパッド２１とブレーキディスク１４との摺接方向１２に延びて形成された二本の第一直線状溝３３Ａ及び第二直線状溝３３Ｂと、この第一直線状溝３３Ａ及び第二直線状溝３３Ｂに連通するよう交差すると共に、摺接方向１２に直交する方向に延びて形成され、ブレーキパッド２１の中心３５を通る一本の第三直線状溝３３Ｃとを有し、第一直線状溝３３Ａ及び第二直線状溝３３Ｂと第三直線状溝３３Ｃとの交差部は、ブレーキパッド２１の中心３５を避けて位置しているものである。【００４４】  そして、ディスクブレーキ装置１５及び１６は、第一直線状溝３３Ａ及び第二直線状溝３３Ｂが鉛直方向（重力方向）に延びて形成され、一方、ディスクブレーキ装置３６及び３７は、摺接方向１２に延びている第一直線状溝３３Ｃが鉛直方向（重力方向）に対して傾斜して形成されている。【００４５】  なお、本実施例では、全てのディスクブレーキ装置１５、１６、３６及び３７のブレーキパッド２１が、上述した図８に示す実施例１の構成、即ち、ブレーキパッド２１とブレーキディスク１４との摺接方向１２に延びて形成され、ブレーキパッド２１の中心３６を通る一本の第一直線状溝３４Ａと、この第一直線状溝３４Ａに連通するよう交差すると共に、摺接方向１２に直交する方向に延びて形成された第二直線状溝３４Ｂ及び第三直線状溝３４Ｃとを有し、第一直線状溝３４Ａと第二直線状溝３４Ｂ及び第三直線状溝３４Ｃとの交差部は、ブレーキパッド２１の中心３５を避けて位置し、ディスクブレーキ装置１５及び１６は、第一直線状溝３４Ａが鉛直方向（重力方向）に延びて形成され、一方、ディスクブレーキ装置３６及び３７は、摺接方向１２に延びている第二直線状溝３４Ｂ及び第三直線状溝３４Ｃが鉛直方向（重力方向）に対して傾斜して形成していてもよい。【００４６】  また、本実施例では、ディスクブレーキ装置１５、１６及びディスクブレーキ装置３６、３７のブレーキパッド２１が、実施例１の構成と実施例２の構成を組み合わせて形成してもよい。【００４７】  例えば、ディスクブレーキ装置１５、１６のブレーキパッド２１は、実施例１の構成（図６の構成）又は実施例２の構成（図８の構成）であり、ディスクブレーキ装置３６、３７は、実施例２の構成又は実施例１の構成とするか、或いは、３つのディスクブレーキ装置１５、１６及び３６が、実施例１の構成（図６の構成）又は実施例２の構成（図８の構成）であり、残りの１つのディスクブレーキ装置３７が、実施例２の構成又は実施例１の構成としてもよい。【００４８】  つまり、図９に示す本実施例では、固定ベース７に支持固定した軸受け台１０の支持腕部１９には、４台のディスクブレーキ装置１５、１���、３６及び３７が取り付けられている。ディスクブレーキ装置１５、１６は、先の実施例１及び/又はと同様に、ブレーキディスク１４のほぼ中心３５を通る水平線上に配置されているため、先の実施例１及び２と同一構成のブレーキパッド２１を使用することによって同一効果を得ることができる。【００４９】  一方、ディスクブレーキ装置３６、３７で使用するブレーキパッド２１は、種々の構成を採用することができる。例えば、上述した実施例１の構成（図６）及び実施例２の構成（図８）のブレーキパッド２１と同様に、第一直線状溝３３Ａ、第二直線溝３３Ｂ又は３４Ａを鉛直方向にして使用することもできるし、ディスクブレーキ装置３６、３７の取り付け位置における摺接方向１２に第一直線状溝３３Ａ、第二直線溝３３Ｂ又は第一直線状溝３４Ａをほぼ合致させ向きを変えて使用することもできる。【００５０】  前者の構成では、ディスクブレーキ装置３６、３７でもディスクブレーキ装置１５、１６と同様の効果を得ることができる。【００５１】  これに対して後者の構成では、ディスクブレーキ装置１５、１６に比べて第一直線状溝３３Ａ、第二直線溝３３Ｂ又は第一直線状溝３４Ａに傾きが生じてしまう。例えば、ディスクブレーキ装置３６におけるブレーキパッド２１は、図６に示したブレーキパッド２１を時計方向に４５度だけ回転して取り付けたことになる。しかし、摺接方向１２に形成されている第一直線状溝３３Ａ、第二直線溝３３Ｂが重力方向に対して傾くことになるものの、この第一直線状溝３３Ａ、第二直線溝３３Ｂに連通した第三直線状溝３３Ｃも、重力方向に対して４５度傾いて形成されることになるため、この第三直線状溝３３Ｃからも摩耗粉が排出されることになり、程度の差があるがほぼ同様の効果を期待することができる。【００５２】  以上説明したように、本発明のエレベータ装置は、ディスクブレーキ装置のブレーキパッド２１に、ブレーキパッド２１のほぼ中心３５を通る一本の第三直線状溝３３Ｃ又は第一直線状溝３４Ａと、一本の第三直線状溝３３Ｃ又は第一直線状溝３４Ａに直交して形成され、かつ、ブレーキパッド２１の中心３５から離れた位置にブレーキパッド２１の中心３５を挟んで対向配置した二本の他の第一直線状溝３３Ａ、第二直線状溝３３Ｂ又は第二直線溝３４Ｂ第三直線状溝３４Ｃを形成している。【００５３】  このような構成によれば、ブレーキパッド２１の中心３５の近傍から発生したガスや摩耗粉を速やかに排出される。つまり、各直線状溝は、ブレーキパッド２１の中心３５を避けて交差して連通されているため、最も強く押圧されるブレーキパッド２１の中心３５の近傍におけるブレーキパッド２１の強度を低下させることなく、特に、ブレーキパッド２１の中心３５近傍から発生する摩耗粉および発生ガスを除去することができる。従って、ブレーキパッド２１の中心３５付近によるブレーキディスク１４への摩擦特性を安定させて、安定した制動特性を有するディスクブレーキ装置を有するエレベータ装置とすることができる。【００５４】  また、本発明は、上述の構成に加えて、少なくとも一つのディスクブレーキ装置１６は、ブレーキディスク１４のほぼ中心３５を通る水平線上に配置して設け、当該ディスクブレーキ装置１６のブレーキパッド２１は、ブレーキパッド２１とブレーキディスク１４との摺接方向１２に延びて形成された二本の第一直線状溝３３Ａ及び第二直線状溝３３Ｂと、第一直線状溝３３Ａおよび第二直線状溝３３Ｂに連通するよう交差させると共に、摺接方向１２にほぼ直交する方向に延びて形成された第三直線状溝３３Ｃとを有し、第一直線状溝３３Ａ及び第二直線状溝３３Ｂと第三直線状溝３３Ｃとの交差部はブレーキパッド２１の中心３５を避けて位置させている。【００５５】  このような構成によれば、主に第三直線状溝３３Ｃを通してブレーキパッド２１の中心３５の近傍から発生したガスを速やかに排出することができる。また、摺接方向１２に直交する方向である第三直線状溝３３Ｃによって発生しやすい摩耗粉については、第一直線状溝３３Ａ及び第二直線状溝３３Ｂから速やかに排出される。つまり、ブレーキディスク１４の中心を通る水平線上にディスクブレーキ装置１５、１６を配置した方式では、第一直線状溝３３Ａ及び第二直線状溝３３Ｂの形成方向が鉛直方向つまり重力方向となるため、摩耗粉が第一直線状溝３３Ａ及び第二直線状溝３３Ｂを通して下方に速やかに排出され除去される。【００５６】  また、本発明は、上述の構成に加えて、少なくとも一つのディスクブレーキ装置１６は、ブレーキディスク１４のほぼ中心３５を通る水平線上に配置して設け、当該ディスクブレーキ装置１６のブレーキパッド２１は、ブレーキパッド２１とブレーキディスク１４との摺接方向１２に延びて形成された一本の第一直線状溝３４Ａと、第一直線状溝３４Ａに連通するよう交差させると共に摺接方向１２にほぼ直交する方向に延びて形成された第二直線状溝３４Ｂ及び第三直線状溝３４Ｃとを有し、第一直線状溝３４Ａと第二直線状溝３４Ｂ及び第三直線状溝３４Ｃとの交差部はブレーキパッド２１の中心３５を避けて位置させている。【００５７】  このような構成によれば、主に第一直線状溝３４Ａを通してブレーキパッド２１の中心３５の近傍から発生したガスを速やかに排出することができる。また、摺接方向１２に直交する方向である第二直線状溝３４Ｂ及び第三直線状溝３４Ｃによって発生しやすい摩耗粉については、第一直線状溝３４Ａから速やかに排出される。つまり、ブレーキディスク１４の中心を通る水平線上にディスクブレーキ装置１５、１６を配置した方式では、第一直線状溝３４Ａの形成方向が鉛直方向、つまり重力方向となるため、摩耗粉が第一直線状溝３４Ａを通して下方に速やかに排出され除去される。【００５８】  従って、本発明によれば、ブレーキパッドの強度を低下させることなく、ブレーキパッドの中心部近傍から発生するガスや摩耗粉を速やかに除去して安定した摩擦特性を発揮できるようにしたディスクブレーキ装置を備えたエレベータ装置を得ることができる  なお、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。また、ある実施例の構成の一部を他の実施例の構成に置き換えることが可能であり、また、ある実施例の構成に他の実施例の構成を加え��ことも可能である。また、各実施例の構成の一部について、他の構成の追加、削除、置換をすることが可能である。
【符号の説明】
【００５９】  １…昇降路、２…機械室、３…巻上機、４…主索、５…乗りかご、６…釣合おもり、７…固定ベース、８…駆動モータ、９、１０…軸受け台、１１…回転軸、１２…摺接方向、１３…シーブ、１４…ブレーキディスク、１５、１６、３６、３７…ディスクブレーキ装置、１７、１８…ブレーキシュー、１９…支持腕部、２０…ボルト、２１…ブレーキパッド、２２…ブレーキ本体、２３…ストローク調整ボルト、２４…アクチュエータ、２５…アクチュエータの駆動ロッド、２６…ブレーキシューの係合部、２７…取付用ばね部材、２８…ピン、２９…切欠、３０…プレート、３１…止めねじ、３２…抜け止め用割ピン、３３Ａ、３４Ａ…第一直線状溝、３３Ｂ、３４Ｂ…第二直線状溝、３３Ｃ、３４Ｃ…第三直線状溝、３５…ブレーキパッドの中心。
【図１】
2017072824.tif 000003
【図２】
2017072824.tif 000004
【図３】
2017072824.tif 000005
【図４】
2017072824.tif 000006
【図５】
2017072824.tif 000007
【図６】
2017072824.tif 000008
【図７】
2017072824.tif 000009
【図８】
2017072824.tif 000010
【図９】
2017072824.tif 000011
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
主索が巻回され、駆動モータと回転軸を介して連結されている巻上機と、該巻上機に巻回されている前記主索の一方の端部に接続されている乗りかご及び前記主索の他方の端部に接続されている釣合おもりと、前記巻上機の回転軸に連結されているブレーキディスク及び該ブレーキディスクに押圧されて制動力を与え、前記巻上機を停止させて前記乗りかご及び釣合おもりを停止状態にするブレーキパッドを有したディスクブレーキ装置とを備えたエレベータ装置において、
前記ブレーキパッドにおける前記ブレーキディスクとの摺接面に、前記ブレーキパッドの中心を通る一本の直線状溝と、前記一本の直線状溝に直交する二本の直線状溝とが形成されていると共に、前記一本の直線状溝と前記二本の直線状溝との交差部は、前記摺接面における前記ブレーキパッドの中心を避けて位置しており、前記一本の直線状溝と前記二本の直線状溝のいずれか一方が、前記ブレーキパッドと前記ブレーキディスクとの摺接方向に形成されていることを特徴とするエレベータ装置。
【請求項２】
前記ディスクブレーキ装置は、前記ブレーキディスクの中心を通る水平線上に配置され、かつ、前記ディスクブレーキ装置の前記ブレーキパッドは、前記ブレーキパッドとブレーキディスクとの摺接方向に延びて形成された二本の第一直線状溝及び第二直線状溝と、該第一直線状溝及び第二直線状溝に連通するよう交差すると共に、前記摺接方向に直交する方向に延びて形成され、前記ブレーキパッドの中心を通る一本の第三直線状溝とを有し、前記第一直線状溝及び第二直線状溝と前記第三直線状溝との交差部は、前記ブレーキパッドの中心を避けて位置していることを特徴とする請求項１に記載のエレベータ装置。
【請求項３】
前記第一直線状溝及び第二直線状溝は、鉛直方向に延びて形成されていることを特徴とする請求項２に記載のエレベータ装置。
【請求項４】
前記ブレーキパッドは、四角形に形成されていることを特徴とする請求項２又は３に記載のエレベータ装置。
【請求項５】
前記ディスクブレーキ装置は、前記ブレーキディスクの中心を通る水平線上に配置され、かつ、前記ディスクブレーキ装置の前記ブレーキパッドは、前記ブレーキパッドとブレーキディスクとの摺接方向に延びて形成され、前記ブレーキパッドの中心を通る一本の第一直線状溝と、該第一直線状溝に連通するよう交差すると共に、前記摺接方向に直交する方向に延びて形成された第二直線状溝及び第三直線状溝とを有し、前記第一直線状溝と前記第二直線状溝及び前記第三直線状溝との交差部は、前記ブレーキパッドの中心を避けて位置していることを特徴とする請求項１に記載のエレベータ装置。
【請求項６】
前記第一直線状溝は、鉛直方向に延びて形成されていることを特徴とする請求項５に記載のエレベータ装置。
【請求項７】
前記ブレーキパッドは、前記摺接方向に縦長となる長方形に形成されていることを特徴とする請求項５又は６に記載のエレベータ装置。
【請求項８】
主索が巻回され、駆動モータと回転軸を介して連結されている巻上機と、該巻上機に巻回されている前記主索の一方の端部に接続されている乗りかご及び前記主索の他方の端部に接続されている釣合おもりと、前記巻上機の回転軸に連結されているブレーキディスク及び該ブレーキディスクに押圧されて制動力を与え、前記巻上機を停止させて前記乗りかご及び釣合おもりを停止状態にするブレーキパッドを有したディスクブレーキ装置とを備え、
前記ディスクブレーキ装置は、少なくとも前記ブレーキディスクの中心を通る水平線上に配置されるディスクブレーキ装置Ａ及び該ディスクブレーキ装置Ａの上方に設置されたディスクブレーキ装置Ｂから成るエレベータ装置において、
前記ディスクブレーキ装置Ａ及びディスクブレーキ装置Ｂの前記ブレーキパッドの全てが、請求項２又は請求項５に記載の前記ブレーキパッドの構成であるか、
或いは前記ディスクブレーキ装置Ａ及びディスクブレーキ装置Ｂの前記ブレーキパッドが、請求項２と請求項５に記載の前記ブレーキパッドを組み合わせた構成であることを特徴とするエレベータ装置。
【請求項９】
前記ディスクブレーキ装置Ａは、請求項２又は請求項５に記載の前記ブレーキパッドの構成であり、前記ディスクブレーキ装置Ｂは、請求項５又は請求項２に記載の前記ブレーキパッドの構成であることを特徴とする請求項８に記載のエレベータ装置。
【請求項１０】
前記ディスクブレーキ装置Ａは、前記請求項２に記載の前記ブレーキパッドの第一直線状溝及び第二直線状溝が鉛直方向に延びて形成されているか或いは前記請求項５に記載の前記ブレーキパッドの第一直線状溝が鉛直方向に延びて形成され、かつ、前記ディスクブレーキ装置Ｂは、前記請求項２に記載の前記ブレーキパッドの第一直線状溝及び第二直線状溝或いは請求項５に記載の前記ブレーキパッドの前記第一直線状溝が、前記鉛直方向に対して傾斜して形成されていることを特徴とする請求項９に記載のエレベータ装置。
【手続補正２】
【補正対象書類名】明細書
【補正対象項目名】０００２
【補正方法】変更
【補正の内容】
【０００２】
大きくなり、特に、高速エレベータでは速度も速いことから、制動エネルギーが非常に大きくなるため、制動中に発生する摩擦熱によりディスクとブレーキパッドの摩擦面が非常に高温となり、また、制動停止までの時間は数秒〜数十秒となる。
［０００７］
しかも、エレベータ装置用ディスクブレーキ装置では、高温によりブレーキパッドの材質の一部に用いられている樹脂からガスが発生したり、摩耗が発生したりしやすくなるため、多くの摩耗粉が発生するなどの現象があり、これらが摩擦面に介在すると摩擦特性が安定しにくくなることから、摩擦特性を安定化させるためには、制動中に発生するガスや摩耗粉を摩擦面になるべく介在させないで除去する必要がある。
［０００８］
本発明は上述の点に鑑みなされたもので、その目的とするところは、ブレーキパッドの強度を低下させることなく、ブレーキパッドの中心部近傍から発生するガスや摩耗粉を速やかに除去して安定した摩擦特性を発揮できるディスクブレーキ装置を備えたエレベータ装置を提供することにある。
課題を解決するための手段
［０００９］
本発明のエレベータ装置は、上記目的を達成するために、主索が巻回され、駆動モータと回転軸を介して連結されている巻上機と、該巻上機に巻回されている前記主索の一方の端部に接続されている乗りかご及び前記主索の他方の端部に接続されている釣合おもりと、前記巻上機の回転軸に連結されているブレーキディスク及び該ブレーキディスクに押圧されて制動力を与え、前記巻上機を停止させて前記乗りかご及び釣合おもりを停止状態にするブレーキパッドを有したディスクブレーキ装置とを備えたエレベータ装置において、前記ブレーキパッドにおける前記ブレーキディスクとの摺接面に、前記ブレーキパッドの中心を通る一本の直線状溝と、前記一本の直線状溝に直交する二本の直線状溝とが形成されていると共に、前記一本の直線状溝と前記二本の直線状溝との交差部は、前記摺接面における前記ブレーキパッドの中心を避けて位置しており、前記一本の直線状溝と前記二本の直線状溝のいずれか一方が、前記ブレーキパッドと前記ブレーキディスクとの摺接方向に形成されていることを特徴とする。
【国際調査報告】
2017072824.tif 000012
2017072824.tif 000013
2017072824.tif 000014
2017072824.tif 000015